(57)【要約】      （修正有）【課題】電子ソケットを提供する。【解決手段】本体２００と、歪みゲージと、電子制御セットと、表示ユニットとを備える。本体２００には、互いに貫通する駆動溝、チャンネル及び連動溝２３０を有する。且つ電子制御セット及び表示ユニットを収納するようにチャンネル外壁に収納空間が開設されている。また、歪みゲージを収納するようにチャンネルに対応して収納空間内に埋め込み溝が更に設けられている。また、歪みゲージが電子制御セットに電気的に接続されており、表示ユニットに感知データを表示する。それにより、歪みゲージがデータを一層敏感に感知することができ、且つ組み立て作業を簡素化して、使用者の操作を便利にすることができる。【選択図】図１
0003194123.tif 000002
【実用新案登録請求の範囲】
【請求項１】
互いに貫通する駆動溝、チャンネル及び連動溝を有し、前記チャンネルの径方向の最大距離が前記駆動溝の径方向の最大距離より大きく、かつ前記チャンネルの径方向の最大距離が前記連動溝の径方向の最大距離より小さくなるよう形成されており、前記チャンネルに対応して外から内へ少なくとも１つの収納空間が開設されており、前記収納空間が前記チャンネルに貫通せず、また、前記収納空間の前記チャンネルに対応する位置に外から内へ埋め込み溝が更に設けられている本体と、
前記埋め込み溝内に位置決められている歪みゲージと、
前記収納空間内に位置決められている電子制御セットと、
前記電子制御セットに接続するように前記収納空間内に位置決められている表示ユニットと、を備え、
前記歪みゲージが前記電子制御セットに接続されており、前記表示ユニットに感知データを表示することを特徴とする電子ソケット。
【請求項２】
前記電子制御セットに取り外し可能に電気的に接続されている接続線を更に備えることを特徴とする請求項１に記載の電子ソケット。
【請求項３】
前記埋め込み溝が平らな底面を有し、且つ前記歪みゲージが前記平らな底面に平らに貼られているように位置決められていることを特徴とする請求項１に記載の電子ソケット。
【請求項４】
前記収納空間に覆設されており、前記本体の外壁に平らにつながっているカバーを更に備える請求項１に記載の電子ソケット。
【請求項５】
互いに貫通する駆動溝、チャンネル及び連動溝を有し、前記チャンネルの径方向の最大距離が前記駆動溝の径方向の最大距離より大きくなるよう形成されており、外から内へ対向して２つの収納空間が開設されており、２つの前記収納空間が何れも前記チャンネルに対応しており、前記チャンネルを貫通せず、各前記収納空間内に外から内側に向いて前記チャンネルに対応する埋め込み溝が更に設けられている本体と、
前記埋め込み溝内にそれぞれ位置決められている２つの歪みゲージと、
一方の前記収納空間内に位置決められている電子制御セットと、
一方の前記収納空間内に位置決められており、且つ前記電子制御セットに接続されている表示ユニットと、
他方の前記収納空間内に位置決められており、前記電子制御セットに接続して制御され、且つ取り外し可能な接続線が設けられていることでデータ伝送を行う接続ユニットと、を備え、
前記歪みゲージが前記電子制御セットに接続されており、前記表示ユニットに感知データを表示することを特徴とする電子ソケット。
【請求項６】
前記電子制御セットは、前記表示ユニットと合わせて、光線警報、振動警報、および、音声警報を含む手段で、警報情報を伝えることを特徴とする請求項５に記載の電子ソケット。
【請求項７】
各前記埋め込み溝が平らな底面を有し、各前記歪みゲージが各前記平らな底面に平らに貼られているように位置決められていることを特徴とする請求項５に記載の電子ソケット。
【請求項８】
各前記電子制御セットは、複数の露出ボタンを有することを特徴とする請求項５に記載の電子ソケット。
【請求項９】
２つの前記収納空間にそれぞれ覆設されており、前記本体の外壁に平らにつながっている２つのカバーを更に備えることを特徴とする請求項５に記載の電子ソケット。
【請求項１０】
前記接続線は、前記カバーを貫通し、前記接続ユニットに取り外し可能に電気的に接続されていることを特徴とする請求項９に記載の電子ソケット。  
【考案の詳細な説明】
【技術分野】
【０００１】
本考案は、ソケットに関し、特に電子ソケットに関する。
【背景技術】
【０００２】
現在、手道具は電子化に向けて発展しており、一般の消費者が使用の際一層使用しやすくするために、操作しやすく又はヒューマナイズされた電子機能付きの様々な手道具も次第に市場に出回っている。
【０００３】
一般的に、手道具は、ネジ固定部材を旋回して部材を螺着するのに用いられ、航空設備等の精密機械に応用される場合は、十分に正確なロックアウト力が必要であり、ひいてはそれぞれの旋回角度を考慮する必要もあるため、当業者は各種の歪みゲージが設けられた手道具を開発している。特許文献１によれば過度の締め付けによって精密機械が損傷し、又は過度の緩みによって効果的な固定が損なわれることのないように、歪みゲージによって手道具（ソケットの実施形態が含まれる）が受けたねじり力値を計測することで、旋回されたネジ固定部材の緩み程度を推定する。しかしながら、このような手道具では、そのデータを効果的に出力や記憶するが、その歪みゲージの設計では直接ソケットの内壁に取り付けられており、感知を改良する技術は開示されていないため、感知の感度が制限されて、この電子ソケットの実用性に影響を与える。
【０００４】
また、現在、電子ソケットは、単にデータを表示や記録のみで、能動的な警報機能が組み込まれていない。一方、現在、歪みゲージを利用する多数の電子手道具は、何れも更に空間を占める突出部材が取り付けられ、操作、収納には同様に不便になる。
【先行技術文献】
【特許文献】
【０００５】
【特許文献１】台湾特許出願公告第Ｉ２８１４２９号明細書
【考案の概要】
【考案が解決しようとする課題】
【０００６】
本考案は、上記の問題を解決するためになされたものであり、その目的は、データ感度を向上させることができるだけでなく、更に、能動的な警報及び空間節約の効果を有する電子ソケットを提供することにある。
【課題を解決するための手段】
【０００７】
本考案の一態様によれば、電子ソケットは、互いに貫通する駆動溝、チャンネル及び連動溝を有し、チャンネルの径方向の最大距離が駆動溝の径方向の最大距離より大きく、チャンネルの径方向の最大距離が連動溝の径方向の最大距離より小さく、チャンネルに対応して外から内へ少なくとも１つの収納空間が開設され、この収納空間が本体の外側のみに製作されてチャンネルに貫通せず、また、収納空間にチャンネルに対応して外から内へ埋め込み溝が更に設けられる本体と、埋め込み溝内に位置決められた歪みゲージと、順次に収納空間内に更に位置決められた電子制御セットと、電子制御セットに接続されるように同様に収納空間内に位置決められる表示ユニットと、を備え、表示ユニットに感知データを表示するために、歪みゲージが電子制御セットに接続される電子ソケットを提供することにある。
【０００８】
これによって、埋め込み溝が収納空間のチャンネルに対応する位置で外から内へ設けられるため、本考案は、埋め込み溝及び収納空間によってチャンネルの外側が薄くなる。一方、チャンネルの径方向の最大距離が駆動溝の径方向の最大距離より大きくするように設計することで、チャンネルを駆動溝と比較して内側が薄くなるような構造にするため、歪みゲージが埋め込み溝内に位置決められると、本考案の電子ソケットの変形量が敏感に歪みゲージに影響を与える。
【０００９】
さらに、電子制御セットには、電子制御セットに取り外し可能に電気的に接続されており、電力を提供し、資料を記憶し又は信号を伝送するための接続線が設けられてもよい。また、埋め込み溝が平らな底面を有し、歪みゲージが平らな底面に平らに貼るように位置決められてもよい。
【００１０】
本考案のもう一つの態様によれば、互いに貫通する駆動溝、チャンネル及び連動溝を有し、チャンネルの径方向の最大距離が駆動溝の径方向の最大距離より大きく、何れもチャンネルに対応するがそれに貫通せず、また、チャンネルに対応して外から内へ埋め込み溝が更に設けられる外から内へ対向して２つの収納空間が開設される本体と、２つの埋め込み溝内にそれぞれ位置決められる２つの歪みゲージと、その１つの収納空間内に位置決められた電子制御セットと、その１つの収納空間内に位置決められ、且つ電子制御セットと互いに接続される表示ユニットと、他の収納空間内に位置決められ、且つ電子制御セットに接続して制御され、且つ取り外し可能な接続線に合わせて、データ伝送を行う接続ユニットと、を備え、表示ユニットに感知データを表示するために、歪みゲージが電子制御セットに接続される電子ソケットを提供する。
【００１１】
同様にデータを高感度化する埋め込み溝と、収納空間とを有する。また、本実施形態は、更に、警報ユニットによって電子制御セットに接続して制御され、データ設定の警報情報を提供するため、本考案がデータを効果的に生成して更に直接操作警報の効果を達成することができる。
【００１２】
警報情報を伝える手段は、光線警報、振動警報又は音声警報であってもよい。各埋め込み溝は、さらに平らな底面を設計し、且つ各歪みゲージが各平らな底面に平らに貼るように位置決められてもよい。
【００１３】
本考案は、電子制御セット、表示ユニット又は接続ユニットを収納空間内に収納するため、少なくとも１つのカバーによって収納空間に取り外し可能に覆設されており、本体の外壁に平らにつながり、公知の従来のソケットのような外形を保持し、慣れた操作を維持し、且つ収納しやすい効果および空間を節約する効果が得られる。
【図面の簡単な説明】
【００１４】
【図１】本考案の一実施形態における電子ソケットを示す斜視図である。
【図２】本考案の一実施形態における電子ソケットを示す別の方向の斜視図である。
【図３】本考案の一実施形態における電子ソケットを示す断面図である。
【図４】本考案の一実施形態における電子ソケットを示す分解斜視図である。
【図５】本考案の一実施形態における電子ソケットを示す要部断面図である。
【考案を実施するための形態】
【００１５】
（一実施形態）
本考案の一実施形態における電子ソケットを示す斜視図である図１を参照されたい。また、図２〜図５に示す別の方向の斜視図、斜視分解図、断面図及び局部断面図を参照されたい。図に示すように、本考案の電子ソケット１００は、本体２００と、２つの歪みゲージ３００と、電子制御セット４００と、表示ユニット５００と、接続ユニット６００と、２つのカバー７００と、接続線８００と、を備える。
【００１６】
本体２００内に、互いに貫通する駆動溝２１０、チャンネル２２０及び連動溝２３０を有し、チャンネル２２０の径方向の最大距離ｄが駆動溝２１０の径方向の最大距離Ｘより大きく、チャンネル２２０の径方向の最大距離ｄが連動溝２３０の径方向の最大距離Ｄより小さい。本体２００は、外から内へ対向して２つの収納空間２０１が開設され、２つの収納空間２０１の何れもチャンネル２２０に対応するがそれに貫通せず、また、各収納空間２０１内にチャンネル２２０に対応して外から内へ埋め込み溝２０２が更に設けられ、各埋め込み溝２０２が平らな底面２０２１を有する。
【００１７】
２つの歪みゲージ３００は、それぞれ２つの埋め込み溝２０２内に位置決められ、各歪みゲージ３００の表面が各平らな底面２０２１に平らに貼るように位置決められる。
【００１８】
電子制御セット４００と表示ユニット５００は、互いに接続するように、その１つの収納空間２０１内に位置決められる。電子制御セット４００には複数の露出ボタン４１０を有し、２つの歪みゲージ３００は、表示ユニット５００が感知データを表示するために、電子制御セット４００に接続される。表示ユニット５００は、ＬＥＤ素子、液晶表示素子又はＯＬＥＤ素子で製作されてよい。表示ユニット５００は、電子制御セット４００によって信号を提供して、データの設定に合わせてプリセットの警報情報を表示する。
【００１９】
接続ユニット６００は、電子制御セット４００に接続して制御されるように、他側の収納空間２０１内に位置決められた取り外し可能な差し込み口タイプである。
【００２０】
カバー７００は、ねじで取り外し可能に位置決められるように、２つの収納空間２０１に覆設されて、本体２００の筒状の外壁に平らにつながる。
【００２１】
接続線８００は、取り外し可能なコネクタ設計を採用し、カバー７００を貫通した後、接続ユニット６００と取り外し可能に電気的に接続する。
【００２２】
本実施形態では、何れも歪みゲージ３００データを高感度化する埋め込み溝２０２と収納空間２０１構造とを有し、チャンネル２２０を駆動溝２１０及び連動溝２３０と比較して内側が薄くする状態を効果的に呈させるため、歪みゲージ３００が埋め込み溝２０２内に位置決められた後、本考案の電子ソケット１００の変形量が敏感に各埋め込み溝２０２の平らな底面２０２１を影響し、それにより、本考案の歪みゲージ３００が感知データを敏感に発生する。
【００２３】
なお、本考案の実施形態では、更に、取り外し可能にねじで位置決めを行うことで、カバー７００を２つの収納空間２０１に覆設する。本体２００の筒状の外壁に平らにつながり、且つ電子制御セット４００、表示ユニット５００又は接続ユニット６００を収納空間２０１内に收納する。それにより、本考案は、公知の従来のソケットのような外形を保持し、使用者の元の操作習慣を便利にし、且つ使用者が容易に収納し空間を節省する。
【００２４】
最後、本考案に記載の表示ユニット５００は、電子制御セット４００を用いて信号を提供してデータの設定を合わせてプリセットの警報情報を表示する。且つ、警報情報伝える手段は、光線警報、振動警報又は音声警報であってもよい。警報情報を発生する素子は、同様に収納空間２０１内に容納されてよい。それにより、本考案は、データを効果的に発生して、更に直接操作警報の効果を達成することができる。
【００２５】
本考案を実施形態で前述の通り開示したが、これは本考案を限定するためのものではなく、当業者であれば、本考案の精神と範囲から逸脱しない限り、多様の変更や修正を加えることができる。従って、本考案の保護範囲は、実用新案登録請求の範囲で指定した内容を基準とする。
【符号の説明】
【００２６】
１００  電子ソケット
２００  本体
２０１  収納空間
２０２  埋め込み溝
２０２１  平らな底面
２１０  駆動溝
２２０  チャンネル
２３０  連動溝
３００  歪みゲージ
４００  電子制御セット
４１０  露出ボタン
５００  表示ユニット
６００  接続ユニット
７００  カバー
８００  接続線
ｄ  チャンネルの径方向の最大距離
Ｘ  駆動溝の径方向の最大距離
Ｄ  連動溝の径方向の最大距離  
【図１】
0003194123.tif 000003
【図２】
0003194123.tif 000004
【図３】
0003194123.tif 000005
【図４】
0003194123.tif 000006
【図５】
0003194123.tif 000007